(57)【要約】【課題】記録可能な光ディスク装置において、安価な構成でありながらも、放送局から逐次配信されるデータを複数枚の光ディスクに連続して記録する。【解決手段】バッファメモリにデータを蓄積しながら（＃１）、１枚目の光ディスクのデータ記録中に（＃２）、記録エラーが発生すると（＃３においてＹＥＳ）、光ディスクをファイナライズした後（＃４）、排出して、バッファメモリ９に蓄積したデータを予備の光ディスクに記録する（＃５）。所定時間が経過する前に（＃６においてＮＯ）、２枚目の光ディスクが挿入されると（＃７においてＹＥＳ）、予備ディスクへの記録を中止した後、２枚目の光ディスクを初期化し（＃８）、予備の光ディスクへの記録を中止してからのバッファメモリに蓄積したデータを記録する（＃９）。その後、予備の光ディスクのデータを読み出してバッファメモリに蓄積し（＃１０）、そのデータを２枚目の光ディスクに記録する（＃１１）。【選択図】      図５
2004342263.tif 000002
【特許請求の範囲】
【請求項１】
放送局から配信されるデータを受信する受信部と、この受信部により受信したデータを一時的に蓄積するバッファメモリと、データの記録が可能な光ディスクに対して光を照射することにより前記バッファメモリに蓄積されたデータを前記光ディスクに記録する光ピックアップとを備えた光ディスク装置において、
交換可能な光ディスクにデータが記録できなくなったときに、前記バッファメモリに蓄積されたデータを記録するための予備の光ディスクと、
交換可能な光ディスクが載置され、前記光ピックアップに対して第１の方向にスライド移動可能な主トレイと、
前記予備の光ディスクが載置され、前記光ピックアップに対して第２の方向にスライド移動可能な予備トレイと、
前記主トレイ及び前記予備トレイを前記光ピックアップに対して二者択一的にスライド移動させる駆動機構と、
前記光ピックアップ及び前記駆動機構の駆動を制御する制御部とをさらに備え、
前記制御部は、
交換可能な第１の光ディスクにデータを記録することができなくなったときに、前記駆動機構を駆動して前記主トレイをスライド移動させ、前記第１の光ディスクを装置外部に排出すると共に、前記予備トレイをスライド移動させて前記予備の光ディスクを前記光ピックアップに対向させ、前記光ピックアップを駆動して、前記第１の光ディスクにデータを記録することができなくなった時点からの前記バッファメモリに蓄積されているデータを前記予備の光ディスクに記録し、
前記第１の光ディスクとは異なる交換可能な第２の光ディスクが前記主トレイに載置されたときに、前記光ピックアップに前記予備の光ディスクへのデータの記録を中止させ、前記駆動機構を駆動して前記予備トレイをスライド移動させ、前記予備の光ディスクを元の位置に退避させると共に、前記主トレイをスライド移動させて前記第２の光ディスクを前記光ピックアップに対向させ、前記光ピックアップを駆動して、前記第２の光ディスクの記録領域の先頭に、前記予備の光ディスクに記録したデータに相当する空データ領域を形成し、該空データ領域の続きに前記予備の光ディスクへのデータの記録を中止した時点からの前記バッファメモリに蓄積されているデータを前記第２の光ディスクに記録し、
前記第２の光ディスクへの前記バッファメモリに蓄積されているデータの記録が終了した後、前記駆動機構を駆動して前記主トレイをスライド移動させ、前記第２の光ディスクを装置外部に一旦排出すると共に、前記予備トレイをスライド移動させて前記予備の光ディスクを前記光ピックアップに対向させ、前記光ピックアップを駆動して、前記予備の光ディスクに記録されたデータを読み出して前記バッファメモリに蓄積し、
前記予備の光ディスクからのデータの読み出しが終了したときに、前記駆動機構を駆動して前記予備トレイをスライド移動させ、前記予備の光ディスクを元の位置に退避させると共に、前記主トレイをスライド移動させて前記第２の光ディスクを再び前記光ピックアップに対向させ、前記光ピックアップを駆動して、前記第２の光ディスクの前記空データ領域に、前記予備の光ディスクから読み出したデータを記録することにより、
複数の交換可能な光ディスクに連続してデータを記録することが可能な光ディスク装置。
【請求項２】
放送局から配信されるデータを受信する受信部と、この受信部により受信したデータを一時的に蓄積するバッファメモリと、データの記録が可能な光ディスクに対して光を照射することにより前記バッファメモリに蓄積されたデータを前記光ディスクに記録する光ピックアップとを備えた光ディスク装置において、
前記光ピックアップの駆動を制御する制御部をさらに備え、
前記制御部は、
交換可能な第１の光ディスクにデータを記録することができなくなったときに、前記光ピックアップを駆動して、該第１の光ディスクにデータを記録することができなくなった時点からの前記バッファメモリに蓄積されているデータを前記予備の光ディスクに記録し、
前記第１の光ディスクとは異なる交換可能な第２の光ディスクが装置に挿入されたときに、前記光ピックアップを駆動して、前記予備の光ディスクに記録されたデータを読み出して前記バッファメモリに蓄積し、
前記予備の光ディスクからのデータの読み出しが終了したときに、前記光ピックアップを駆動して、前記第２の光ディスクに、前記予備の光ディスクから読み出したデータを記録することを特徴とする光ディスク装置。
【請求項３】
前記制御部は、
前記第２の光ディスクが装置に挿入されたとき、前記光ピックアップに前記予備の光ディスクへのデータの記録を中止させ、前記光ピックアップを駆動して、前記第２の光ディスクの記録領域の先頭に、前記予備の光ディスクに記録したデータに相当する空データ領域を形成し、該空データ領域の続きに前記予備の光ディスクへのデータの記録を中止した時点からの前記バッファメモリに蓄積されているデータを前記第２の光ディスクに記録し、
前記第２の光ディスクへの前記バッファメモリに蓄積されているデータの記録が終了した後、前記光ピックアップを駆動して、前記第２の光ディスクの空きデータ領域に前記予備の光ディスクに記録されたデータを記録することにより、複数枚の交換可能な光ディスクに連続してデータを記録することが可能な請求項２に記載の光ディスク装置。
【発明の詳細な説明】
【０００１】
【発明の属する技術分野】
本発明は、放送局から配信されるテレビジョン番組等のデータを光ディスクに記録する光ディスク装置に関するものである。
【０００２】
【従来の技術】
近年、テレビジョン番組の記録媒体として、ＤＶＤ（Ｄｉｇｉｔａｌ  Ｖｅｒｓａｔｉｌｅ  Ｄｉｓｋ）に代表される光ディスクが普及している。この光ディスクは、大容量のデータを記録することが可能であるが、さらなる高画質化の要請に伴って記録するデータも膨大となり、１枚の光ディスクに記録できないといった事態が発生している。また、データを記録しようとしている光ディスクに傷がついているとき、全ての記録トラックにデータを記録することができず、光ディスクの記録容量が不足するといった事態も発生する。このような場合、番組の進行途中に光ディスクの交換が必要となるため、その間に配信されたデータを記録することができない。
【０００３】
そこで、光ディスクの交換中にも配信されているデータを記憶するためのメモリ又はハードディスク等の記憶媒体を備え、光ディスクの交換中に配信されたデータを一時的に記憶させ、後程、記憶させたデータを交換された新たな光ディスクに記録するようにして、複数枚の光ディスクに連続してデータを記録できるようにした光ディスク装置が知られている（例えば、特許文献１参照）。
【０００４】
また、バッファメモリに蓄積されているデータをハードディスク装置及び光ディスク装置に同時に転送することにより、ハードディスクにデータを記録しながら、そのバックアップを光ディスクに作成するデータ記録方法が知られている（例えば、特許文献２参照）。
【０００５】
【特許文献１】
特開平１１−３４５４５９号公報
【特許文献２】
特開２００２−１８４１０４号公報
【０００６】
【発明が解決しようとする課題】
しかしながら、上記特許文献１に示される光ディスク装置において、記録媒体としてメモリを用いた場合、大きな記憶容量のメモリが必要となるので、装置の製造コストが高騰する。一方、記憶媒体としてハードディスクを用いた場合においても、ハードディスク及びハードディスクを駆動制御するための制御回路が別途必要となるので、装置の構成が複雑となり、その製造コストが高騰する。また、上記特許文献２に示されるデータ記録方法を適用した光ディスク装置によっても上述した問題点を解決することができない。
【０００７】
本発明は、上述した問題点を解決するためになされたものであり、比較的簡単かつ安価な構成でありながらも、放送局から逐次配信されるデータを複数枚の光ディスクに連続して記録することが可能な光ディスク装置を提供することを目的とする。
【０００８】
【課題を解決するための手段】
上記目的を達成するために請求項１の発明は、放送局から配信されるデータを受信する受信部と、この受信部により受信したデータを一時的に蓄積するバッファメモリと、データの記録が可能な光ディスクに対して光を照射することによりバッファメモリに蓄積されたデータを光ディスクに記録する光ピックアップとを備えた光ディスク装置において、交換可能な光ディスクにデータが記録できなくなったときに、バッファメモリに蓄積されたデータを記録するための予備の光ディスクと、交換可能な光ディスクが載置され、光ピックアップに対して第１の方向にスライド移動可能な主トレイと、予備の光ディスクが載置され、光ピックアップに対して第２の方向にスライド移動可能な予備トレイと、主トレイ及び予備トレイを光ピックアップに対して二者択一的にスライド移動させる駆動機構と、光ピックアップ及び駆動機構の駆動を制御する制御部とをさらに備え、制御部は、交換可能な第１の光ディスクにデータを記録することができなくなったときに、駆動機構を駆動して主トレイをスライド移動させ、第１の光ディスクを装置外部に排出すると共に、予備トレイをスライド移動させて予備の光ディスクを光ピックアップに対向させ、光ピックアップを駆動して、第１の光ディスクにデータを記録することができなくなった時点からのバッファメモリに蓄積されているデータを予備の光ディスクに記録し、第１の光ディスクとは異なる交換可能な第２の光ディスクが主トレイに載置されたときに、光ピックアップに予備の光ディスクへのデータの記録を中止させ、駆動機構を駆動して予備トレイをスライド移動させ、予備の光ディスクを元の位置に退避させると共に、主トレイをスライド移動させて第２の光ディスクを光ピックアップに対向させ、光ピックアップを駆動して、第２の光ディスクの記録領域の先頭に、予備の光ディスクに記録したデータに相当する空データ領域を形成し、空データ領域の続きに予備の光ディスクへのデータの記録を中止した時点からのバッファメモリに蓄積されているデータを第２の光ディスクに記録し、第２の光ディスクへのバッファメモリに蓄積されているデータの記録が終了した後、駆動機構を駆動して主トレイをスライド移動させ、第２の光ディスクを装置外部に一旦排出すると共に、予備トレイをスライド移動させて予備の光ディスクを光ピックアップに対向させ、光ピックアップを駆動して、予備の光ディスクに記録されたデータを読み出してバッファメモリに蓄積し、予備の光ディスクからのデータの読み出しが終了したときに、駆動機構を駆動して予備トレイをスライド移動させ、予備の光ディスクを元の位置に退避させると共に、主トレイをスライド移動させて第２の光ディスクを再び光ピックアップに対向させ、光ピックアップを駆動して、第２の光ディスクの空データ領域に、予備の光ディスクから読み出したデータを記録することにより、複数の交換可能な光ディスクに連続してデータを記録することを可能としたものである。
【０００９】
この構成によれば、交換可能な第１の光ディスクにデータを記録することができなくなったとき、代りの第２の光ディスクの記録準備が整うまで、予備の光ディスクにデータを一時的に記録する。第２の光ディスクの記録準備が整うと、該ディスクの記録領域の先頭に空きデータ領域を形成し、該空きデータ領域に続けて、予備の光ディスクへの記録を中止した後バッファメモリに蓄積したデータを記録する。このデータの記録が終了した後、予備の光ディスクに一時的に記録したデータを読み出して、第２の光ディスクの空きデータ領域に記録する。これにより、第１の光ディスクに続けて第２の光ディスクにデータが連続して記録されることになる。また、空きデータ領域は、予備の光ディスクに記録したデータに相当する容量だけ確保されているので、第２の光ディスクに記録されたデータは断片化することなく、連続的に形成されることになる。
【００１０】
第１、第２の光ディスク及び予備の光ディスクへのデータの記録は光ピックアップを駆動することによりなされる。従って、これらの光ディスクとして、同一の又は互換性を有する規格の光ディスクを用いることにより、単一の光ピックアップによってデータを記録することができ、装置の構成を簡素にすることができる。また、第１、第２の光ディスク及び予備の光ディスクを光ピックアップに対向させるためには、主トレイ及び予備トレイのスライド移動を伴うが、これらのトレイの駆動を単一の駆動機構によって択一的に行っているので、装置の構成を簡略化することができる。
【００１１】
請求項２の発明は、放送局から配信されるデータを受信する受信部と、この受信部により受信したデータを一時的に蓄積するバッファメモリと、データの記録が可能な光ディスクに対して光を照射することによりバッファメモリに蓄積されたデータを光ディスクに記録する光ピックアップとを備えた光ディスク装置において、光ピックアップの駆動を制御する制御部をさらに備え、制御部は、交換可能な第１の光ディスクにデータを記録することができなくなったときに、光ピックアップを駆動して、第１の光ディスクにデータを記録することができなくなった時点からのバッファメモリに蓄積されているデータを予備の光ディスクに記録し、第１の光ディスクとは異なる交換可能な第２の光ディスクが装置に挿入されたときに、光ピックアップを駆動して、予備の光ディスクに記録されたデータを読み出してバッファメモリに蓄積し、予備の光ディスクからのデータの読み出しが終了したときに、光ピックアップを駆動して、第２の光ディスクに、予備の光ディスクから読み出したデータを記録するものである。
【００１２】
この構成によれば、交換可能な第１の光ディスクにデータを記録することができなくなったとき、代りの第２の光ディスクの記録準備が整うまで、予備の光ディスクにデータを一時的に記録する。第２の光ディスクの記録準備が整うと、予備の光ディスクへの記録を中止した後バッファメモリに蓄積したデータを記録する。これにより、第１の光ディスクに続けて第２の光ディスクにデータが連続して記録されることになる。また、請求項１と同様に、第１、第２の光ディスク及び予備の光ディスクとして、同一の又は互換性を有する規格の光ディスクを用いることにより、単一の光ピックアップによってデータを記録することができ、装置の構成を簡素にすることができる。
【００１３】
請求項３の発明は、請求項２に記載の光ディスク装置において、制御部は、第２の光ディスクが装置に挿入されたとき、光ピックアップに予備の光ディスクへのデータの記録を中止させ、光ピックアップを駆動して、第２の光ディスクの記録領域の先頭に、予備の光ディスクに記録したデータに相当する空データ領域を形成し、空データ領域の続きに予備の光ディスクへのデータの記録を中止した時点からのバッファメモリに蓄積されているデータを第２の光ディスクに記録し、第２の光ディスクへのバッファメモリに蓄積されているデータの記録が終了した後、光ピックアップを駆動して、第２の光ディスクの空きデータ領域に予備の光ディスクに記録されたデータを記録することにより、複数枚の交換可能な光ディスクに連続してデータを記録することを可能としたものである。
【００１４】
この構成によれば、第２の光ディスクの記録準備が整うと、該ディスクの記録領域の先頭に空きデータ領域を形成し、空きデータ領域に続けて、予備の光ディスクへの記録を中止した後バッファメモリに蓄積したデータを記録する。この空きデータ領域には、予備の光ディスクに記録したデータが後程記録される。ここで、空きデータ領域は、予備の光ディスクに記録したデータに相当する容量だけ確保されているので、第２の光ディスクに記録されたデータは断片化することなく、連続的に形成されることになる。
【００１５】
【発明の実施の形態】
本発明の一実施形態による光ディスク装置について図面を参照して説明する。図１は光ディスク装置の概略構成を示している。光ディスク装置１は、装置に挿脱自在で交換可能な光ディスク４に放送局によって放送された番組等のデータを記録する装置であり、放送局から配信されるデータを受信するチューナ（受信部）２と、データの記録が可能な光ディスク４に対してレーザ光を照射することによりバッファメモリ９に蓄積されたデータを光ディスク４に記録する光ピックアップ３と、光ディスク４にデータが記録できなくなったとき、データを一時的に記録するために装置に内蔵されている予備の光ディスク５と、光ディスク４が載置される主トレイ６と、予備の光ディスク５が載置される予備トレイ７と、主トレイ６及び予備トレイ７を駆動するための駆動力を発生するモータ８と、チューナ２により受信したデータを一時的に蓄積するバッファメモリ９と、光ピックアップ３及びモータ８の駆動を含む装置各部の制御を司るＣＰＵ（制御部）１０等によって構成されている。なお、予備の光ディスク５には、例えば、ＤＶＤ−ＲＷやＤＶＤ−ＲＡＭ等の複数回データの記録及び消去が可能な光ディスクを用いる。
【００１６】
図２は、主トレイ６及び予備トレイ７がスライド移動する様子を示している。図２（ａ）において、光ディスク装置１は、光ディスク４の記録状態にあり、主トレイ６はクローズされ、予備トレイ７は所定の待機位置で待機している。このとき、光ディスク４は光ピックアップ３と対向している。この状態からモータ８を矢印Ｘ方向に正転させると、主トレイ６が矢印Ａ方向（第１の方向）にスライド移動されて、図２（ｂ）に示されるオープン状態となり、光ディスク４の交換が可能となる。主トレイ６のオープンが完了すると、モータ８の駆動力は予備トレイ７に切り替えて伝達され、予備トレイ７が矢印Ｂ方向（第２の方向）にスライド移動され、図２（ｃ）に示されるように予備ディスク５が光ピックアップ３と対向する状態となり、予備ディスク５へのデータの記録が可能となる。光ディスク４を取り出して新たな光ディスク４ａに交換した後、モータ８を逆転させれば、予備トレイ７を元の待機位置に退避させると共に、主トレイ６をクローズして、交換後の光ディスク４ａにデータを記録することが可能となる。
【００１７】
図３は、主トレイ６及び予備トレイ７の駆動機構１１を示している。駆動機構１１は、モータ８と、ギア２１と、ラック２３，２５等によって構成されている。モータ８の出力軸２０には、モータ８の駆動力を伝達するためのギア２１が装着されており、ギア２１は、バネ（図示せず）等によりＣ方向に付勢されている。ギア２１の上側面には、主トレイ６の斜面部２４と当接可能な凸部２２が形成されている。主トレイ６のモータ８と対向する側面には、ギア２１と噛合うラック２３、及び、主トレイ６の矢印Ａ方向へのスライド移動に伴い凸部２２と当接する斜面部２４が形成されている。予備トレイ７のモータ８と対向する側面には、ギア２１が矢印Ｄ方向に移動されたとき、ギア２１と噛合うラック２５が形成されている。
【００１８】
いま、モータ８を矢印Ｘ方向に正転させると、図３（ａ）に示されるように、その駆動力がギア２１及びラック２３を介して主トレイ６に伝達され、主トレイ６が矢印Ａ方向にスライド移動する。この主トレイ６のスライド移動に伴って主トレイ６の斜面部２４とギア２１の凸部２２とが当接し、図３（ｂ）に示されるように、ギア２１が矢印Ｄ方向に押し下げられて移動する。これにより、ギア２１とラック２３との噛合わせが解除されると共に、ギア２１とラック２５とが新たに噛合わされ、モータ８の駆動力が主トレイ６から予備トレイ７に切り替えられ、予備トレイ７が矢印Ｂ方向（図２参照）に移動する。
【００１９】
上記のように構成された光ディスク装置１は、１枚目の光ディスク４（第１の光ディスク）の記録容量が不足する場合又は光ディスク４に記録不可能な傷がある場合等、光ディスク４にデータを記録することができなくなったとき（記録エラーが発生したとき）、光ディスク４に対するデータの記録を中止して、代りの２枚目の光ディスク４ａ（第２の光ディスク）を装置に装填してその記録準備が整うまで、予備の光ディスク５にデータを一時的に記録する。予備の光ディスク５には、光ディスク４に対してデータの記録を中止した時点からのバッファメモリ９に蓄積されているデータが記録される。２枚目の光ディスク４ａの記録準備が整えば、予備の光ディスク５へのデータの記録を中止して、光ディスク４ａへのデータの記録を開始する。
【００２０】
図４は２枚目の光ディスク４ａへのデータの記録要領を示している。光ディスク装置１に装填された光ディスク４ａの初期化が完了して光ディスク４ａの記録準備が整うと、図４（ａ）に示されるように、光ディスク４ａの記録領域の先頭に、予備ディスク５に一時的に記録したデータに相当する空きデータ領域３０を形成し、空きデータ領域３０に続くデータ記録領域３１にデータを記録する。このデータ記録領域３１に記録するデータは、予備の光ディスク５への記録を中止した後バッファメモリ９に蓄積したデータである。
【００２１】
上記バッファメモリ９に蓄積したデータの記録が終了すると、予備ディスク５に一時的に記録しておいたデータを読み出して、光ディスク４ａに形成されている空きデータ領域３０に記録する。これにより、空きデータ領域３０は、図４（ｂ）に示されるように、データ記録領域３２となり、このデータ記録領域３２とデータ記録領域３１とにより、連続したデータ記録領域が形成されることになる。
【００２２】
予備の光ディスク５に記録したデータの読み出しは、図３に示した要領で主トレイ６を矢印Ａ方向にスライド移動させ、光ディスク４ａを装置外部に一旦排出すると共に、予備トレイ７をスライド移動させて、予備の光ディスク５を光ピックアップ３に対向させることによりなされ、これによって読み出されたデータは、バッファメモリ９に蓄積される。バッファメモリ９に蓄積されたデータは、上述したように、光ディスク４ａの空きデータ領域３０に記録される。光ディスク４の空きデータ領域３０へのデータの記録は、予備トレイ７及び主トレイ６を順次スライド移動させて、光ディスク４ａを光ピックアップ３に対向させることによりなされる。予備の光ディスク５に記録したデータが、バッファメモリ９に一度に蓄積できないほど大きい場合にあっては、上述した、予備の光ディスク５からデータを読み出して、バッファメモリ９に蓄積し、光ディスク４ａに記録する処理を複数回繰り返せばよい。なお、２枚目の光ディスク４ａにデータが記録できなくなったときは、３枚目の光ディスクに差し替えることにより、２枚目の光ディスク４ａに連続させて３枚目の光ディスクにデータを記録することができる。このようにして、放送局から逐次配信されるデータを複数枚の光ディスクに連続して記録することができるようになる。
【００２３】
光ディスク４の交換を伴う記録時におけるＣＰＵ１０の動作について、図５を参照して説明する。バッファメモリ９にデータを蓄積しながら（＃１）、１枚目の光ディスク４（第１の光ディスク）にデータを記録しているときに（＃２）、記録エラーが発生すると（＃３においてＹＥＳ）、１枚目の光ディスク４をファイナライズする（＃４）。ファイナライズとは、ディスクに記録したデータのアドレス情報を最後に書き込む処理をいう。光ディスク４のファイナライズが完了すると、光ディスク４を排出して、＃３以降バッファメモリ９に蓄積したデータを予備の光ディスク５に記録する（＃５）。
【００２４】
その後、所定時間が経過する前に（＃６においてＮＯ）、２枚目の光ディスク４ａが挿入されると（＃７においてＹＥＳ）、予備の光ディスク５へのデータの記録を中止した後、該２枚目の光ディスク４ａを初期化して（＃８）、その記録領域の先頭に空きデータ領域３０を形成した後、空きデータ領域３０に続くデータ記録領域３１に、予備の光ディスク５への記録を中止した時点からのバッファメモリ９に蓄積したデータを記録する（＃９）。その後、予備の光ディスク５に記録したデータを読み出してバッファメモリ９に蓄積した後（＃１０）、その蓄積したデータを２枚目の光ディスク４ａの空きデータ領域３０に記録して（＃１１）、処理を終了する。なお、＃６において、所定時間が経過したときは（＃６においてＮＯ）、処理を終了する。
【００２５】
このように、光ディスク装置１によれば、１枚目の光ディスク４にデータを記録することができなくなったとき、予備の光ディスク５にデータを一時的に記録し、２枚目の光ディスク４ａが装填されたとき、予備の光ディスク５に記録したデータを読み出して光ディスク４ａに記録するので、バッファメモリ９の容量としては、１枚目の光ディスク４にデータの記録ができなくなってから、２枚目の光ディスク４ａに交換し、その記録準備が完了するのに要する時間分だけでよく、高価なバッファメモリ９の容量を増加させることなく、１枚目の光ディスク４に続けて２枚目の光ディスク４ａにデータを連続して記録することができるようになる。また、２枚目の光ディスク４ａについては、まず、予備の光ディスク５に記録したデータに相当する空きデータ領域３０を形成し、この空きデータ領域３０に続くデータ記録領域３１に、バッファメモリ９に蓄積したデータを記録し、その後、予備の光ディスク５に一時的に記録したデータを読み出して、光ディスク４ａの空きデータ領域３０に記録するので、光ディスク４ａに記録されたデータは断片化することなく、連続的に記録されることになる。
【００２６】
また、交換可能な光ディスク４，４ａ及び予備の光ディスク５として、同一の又は互換性を有する規格の光ディスクを用いることにより、単一の光ピックアップ３によってデータを記録することができる。また、これにより、予備の光ディスク５にデータを記録するための光ピックアップやその制御回路等を新たに増設する必要がなくなるので、装置の構成を簡素化することができ、その製造コストを抑制することが可能となる。また、光ディスク４，４ａ及び予備の光ディスク５が載置される主トレイ６及び予備トレイ７を単一のモータ８等によって構成される駆動機構によって択一的にスライド駆動しているので、装置の構成が簡略化され、その製造コストが抑制される。
【００２７】
なお、本発明は上記実施形態の構成に限られることなく種々の変形が可能であり、例えば、光ディスク４は両面に記録面を有する光ディスクであってもよく、この場合においては、裏返して装填した光ディスクが２枚目の光ディスクに相当することになる。また、予備トレイ７の移動方向は、矢印Ｂ方向に限られることなく、矢印Ａ方向又は矢印Ｃ方向（図３参照）であってもよい。また、光ディスク装置は、チューナ２を含む構成に限られることなく、外部に接続された受信装置によってデータの入力を受ける形態であっても構わない。
【００２８】
【発明の効果】
以上のように請求項１の発明によれば、交換可能な第１の光ディスクにデータを記録することができなくなったとき、予備の光ディスクにデータを一時的に記録するので、バッファメモリの容量を増加させることなく、第１の光ディスクに続けて第２の光ディスクにデータを連続して記録することができるようになる。また、第２の光ディスクについては、まず、予備の光ディスクに記録したデータに相当する空きデータ領域を形成し、この空きデータ領域に続けて、予備の光ディスクへの記録を中止した後バッファメモリに蓄積したデータを記録し、その後、予備の光ディスクに一時的に記録したデータを読み出して、第２の光ディスクの空きデータ領域に記録するので、第２の光ディスクに記録されたデータは断片化することなく、連続的に形成されることになる。
【００２９】
また、第１、第２の光ディスク及び予備の光ディスクとして、同一の又は相互に互換性を有する規格の光ディスクを用いることにより、単一の光ピックアップによってデータを記録することができるので、装置の構成を簡素にしてその製造コストを抑制することが可能となる。第１、第２の光ディスク及び予備の光ディスクが載置される主トレイ及び予備トレイを単一の駆動機構によって択一的にスライド駆動しているので、装置の構成が簡略化され、その製造コストが抑制される。
【００３０】
請求項２の発明によれば、交換可能な第１の光ディスクにデータを記録することができなくなったとき、予備の光ディスクにデータを一時的に記録するので、バッファメモリの容量を増加させることなく、第１の光ディスクに続けて第２の光ディスクにデータを連続して記録することができるようになる。また、第１、第２の光ディスク及び予備の光ディスクとして、同一の又は相互に互換性を有する規格の光ディスクを用いることにより、単一の光ピックアップによってデータを記録することができるので、装置の構成を簡素にしてその製造コストを抑制することが可能となる。
【００３１】
請求項３の発明によれば、第２の光ディスクについて、まず、予備の光ディスクに記録したデータに相当する空きデータ領域を形成し、この空きデータ領域に続けて、予備の光ディスクへの記録を中止した後バッファメモリに蓄積したデータを記録し、その後、予備の光ディスクに一時的に記録したデータを読み出して、第２の光ディスクの空きデータ領域に記録するので、第２の光ディスクに記録されたデータは断片化することなく、連続的に形成されることになる。
【図面の簡単な説明】
【図１】本発明の一実施形態による光ディスク装置の概略構成を示したブロック図。
【図２】（ａ）は主トレイをクローズした状態の同装置を示した平面図、（ｂ）は主トレイをオープンした状態の同装置を示した平面図、（ｃ）は予備トレイを光ピックアップに対向する位置にスライド移動させた状態の同装置を示した平面図。
【図３】（ａ）は主トレイをスライド駆動しているときの同装置の駆動機構を示した側面図、（ｂ）は予備トレイをスライド駆動しているときの同駆動機構を示した側面図。
【図４】２枚目の光ディスクへの記録要領を示した図。
【図５】同装置のＣＰＵの動作を示したフローチャート。
【符号の説明】
１    光ディスク装置
２    チューナ（受信部）
３    光ピックアップ
４    光ディスク（第１の光ディスク）
４ａ    光ディスク（第２の光ディスク）
５    予備の光ディスク
６    主トレイ
７    予備トレイ
８    モータ
９    バッファメモリ
１０    ＣＰＵ（制御部）
１１    駆動機構
【図１】
2004342263.tif 000003
【図２】
2004342263.tif 000004
【図３】
2004342263.tif 000005
【図４】
2004342263.tif 000006
【図５】
2004342263.tif 000007